(57)【要約】【課題】電気信号による治療効果を向上可能な電気治療器を提供する。【解決手段】本実施形態に係る電気治療器は、被検体に電気信号を伝導する電気治療器であって、周波数が異なる複数の信号により構成される直流の電気信号を生成する生成部と、先端部が突出した電極であって、被検体の皮膚表面に配置され、被検体に電気信号を非侵襲に伝導する電極と、を備える。【選択図】図１
2018121933.tif 000002
【特許請求の範囲】
【請求項１】
被検体に電気信号を伝導する電気治療器であって、
周波数が異なる複数の信号により構成される直流の電気信号を生成する生成部と、
先端部が突出した電極であって、前記被検体の皮膚表面に配置され、前記被検体に前記電気信号を非侵襲に伝導する電極と、
を備える電気治療器。
【請求項２】
前記電気信号を構成する複数の信号の中で、周波数が１０Ｈｚ以下の周波数を有する信号の強度平均値は、周波数が１０Ｈｚ以上の信号の強度平均値よりも大きい請求項１に記載の電気治療器。
【請求項３】
予め用意された複数種類の電気信号の設定中から使用する電気信号の設定を選択する選択部を更に備え、
前記生成部は、前記選択部で選択された電気信号の設定に応じて前記電気信号を生成する請求項１又は２に記載の電気治療器。
【請求項４】
前記複数種類の電気信号には、少なくとも第１電気信号及び第２電気信号が含まれ、
当該第１電気信号を構成する周波数が５Ｈｚ以上１０Ｈｚ以下の信号の強度平均値は、周期が５Ｈｚ未満の信号の強度平均値よりも大きく、
当該第２電気信号を構成する周波数が６Ｈｚ以下の信号の強度平均値は、周期が６Ｈｚより大きく１０Ｈｚ以下の信号の強度平均値よりも大きい請求項３に記載の電気治療器。
【請求項５】
前記第１電気信号を構成する周波数が５Ｈｚ以上１０Ｈｚ以下の信号の強度平均値は、前記第２電気信号を構成する周波数が５Ｈｚ以上１０Ｈｚ以下の信号の強度平均値よりも大きい請求項４に記載の電気治療器。
【請求項６】
前記第１電気信号を構成する周波数が５Ｈｚ以下の信号の強度平均値は、前記第２電気信号を構成する周波数が５Ｈｚ以下の信号の強度平均値よりも小さい請求項４又は５に記載の電気治療器。  
【請求項７】
前記第１電気信号は慢性症に用いる電気信号であり、
前記第２電気信号は急性症に用いる電気信号である請求項４乃至６のいずれか一項に記載の電気治療器。
【請求項８】
前記第１電気信号は、少なくとも周波数が５、７、及び１０Ｈｚの信号を用いて構成され、
前記第２電気信号は、少なくとも周波数が２、４、及び６Ｈｚの信号を用いて構成される請求項４乃至７のいずれか一項に記載の電気治療器。
【請求項９】
前記生成部を制御する制御部と
複数の症状それぞれに対応させて前記電気信号を生成するためのパラメータを記憶する記憶部と、
を更に備え、
前記選択部は、操作者の指示に従い、前記複数の症状の中から治療対象の症状を選択し、
前記制御部は、前記選択部により選択された症状に対応するパラメータを記憶部から読み込み、当該パラメータに基づき、前記電気信号を前記生成部に生成させる制御を行う請求項３乃至８のいずれか一項に記載の電気治療器。
【請求項１０】
前記パラメータは、前記電気信号を構成する複数の信号の強度値である請求項９に記載の電気治療器。
【請求項１１】
前記電気信号を構成する複数の信号の強度値を周波数毎に調整する調整部を更に備える請求項１乃至１０のいずれか一項に記載の電気治療器。
【請求項１２】
前記電極は、陽極に接続される電極と陰極に接続される電極との組で構成され、
当該陽極に接続される電極は前記被検体における神経繊維の脊髄側に配置され、当該陰極に接続される電極は当該神経繊維の末梢側に配置される請求項１乃至１０のいずれか一項に記載の電気治療器。
【請求項１３】
前記電極における先端部の径は０．０４ｍｍ以上０．１５ｍｍ以下である請求項１乃至１３のいずれか一項に記載の電気治療器。
【請求項１４】
前記電極における先端部の径は０．０８ｍｍである請求項１３に記載の電気治療器。
【請求項１５】
被検体に電気信号を伝導する電気治療器の制御方法であって、
周波数が異なる複数の信号により構成される直流の電気信号を生成する工程と、
前記被検体の皮膚表面に配置された先端部が突出した電極に前記電気信号を出力する工程と、
を備える電気治療器の制御方法。
【発明の詳細な説明】
【技術分野】
【０００１】
本実施形態は、電気治療器、及び電気治療器の制御方法に関する。
【背景技術】
【０００２】
面状の電極を用いて人体局所の疼痛発生部に対し電気刺激を与え、疼痛の消退、軽減を図る電気治療器が知られている。このような電気治療器では、電気刺激により筋肉を運動させることで、疼痛発生部をほぐすなどの効果が得られ、患部のコリや痛みの緩和が図られる。
【０００３】
一方で、先端部が突出した電極を用いて例えば神経繊維に沿って非侵襲に電気信号を与えると、痛みなどに対する感覚などを変化させ、症状を改善させることがわかってきている。特に、電気信号の周波数が、症状改善のために重要であることが臨床的にわかってきた。
【先行技術文献】
【特許文献】
【０００４】
【特許文献１】特開２０１５−２３１５１１号公報
【発明の概要】
【発明が解決しようとする課題】
【０００５】
本発明の目的は、電気信号による治療効果を向上可能な電気治療器を提供することである。
【課題を解決するための手段】
【０００６】
本実施形態に係る電気治療器は、
被検体に電気信号を伝導する電気治療器であって、
周波数が異なる複数の信号により構成される直流の電気信号を生成する生成部と、
先端部が突出した電極であって、前記被検体の皮膚表面に配置され、前記被検体に前記電気信号を非侵襲に伝導する電極と、
を備える電気治療器。
【０００７】
本実施形態に係る電気治療器の制御方法は、
被検体に電気信号を伝導する電気治療器の制御方法であって、
複数の周波数に基づく直流の電気信号を生成する工程と、
前記被検体の皮膚表面に配置された先端部が突出した電極に前記電気信号を出力する工程と、
を備える。
【発明の効果】
【０００８】
本実施形態によれば、電気信号による治療効果を向上可能な電気治療器を提供することができる。
【図面の簡単な説明】
【０００９】
【図１】第１実施形態に係る電気治療器の全体構成を示す図。
【図２】増幅変調回路の構成の一例を示す図。
【図３】第１〜第ｎ変調回路が生成する信号波形の一例を示す図。
【図４Ａ】慢性症、急性症、及び一般症に関連付けられたパラメータ例を示す図。
【図４Ｂ】図４Ａとは異なるパラメータの例を示している図。
【図５】電気治療器の入力回路の一例を模式的に示す図。
【図６】電極の構成を示す説明図。
【図７】電極パッドの構成を示す説明図。
【図８】デルマトームを示す図であり、（ａ）は、脊髄神経根から伸びる感覚神経を番号で示す図、（ｂ）は、脊髄神経根から伸びている感覚神経が支配する領域を番号で示す図。
【図９】複数の電極を電極パッドとして構成した例を示す図。
【図１０】ふくらはぎに症状が出ている例の配置例を示す図。
【図１１】制御回路の処理の一例であるフローチャートを示す図。
【図１２】第１実施形態の第１変形例に係る電気治療器の構成例を示す図。
【図１３】第１実施形態の第２変形例に係る電気治療器の構成例を示す図。
【図１４】第１実施形態の第２変形例に係る入力回路の構成例を示す図。
【図１５】第２実施形態に係る電気治療器の全体構成を示す図。
【図１６】第２実施形態に係る増幅変調回路の構成を示す図。
【図１７】第２実施形態に係る入力回路の構成を示す図。
【図１８】図１７に示す入力回路と異なる形態の入力回路を示す図。
【図１９】電極パッドの全体構成を示す図。
【図２０】電極パッドの正面図。
【図２１】電極パッドの側面図。
【図２２】６端子を用いた使用例を示す図。
【図２３】第３実施形態に係る入力回路を示す図。
【図２４】症例別に使用する周波数と端子数を示す表。
【図２５】記憶回路に記憶される初期パラメータの一例を示す図。
【発明を実施するための形態】
【００１０】
以下、図面を参照して、本発明の実施形態について説明する。本実施形態は、本発明を限定するものではない。
【００１１】
（第１実施形態）
第１実施形態に係る電気治療器は、周波数が異なる複数の信号により構成される電気信号を被検体に、先端部が突出した電極により非侵襲に伝導することで、治療効果をより向上させようとしたものである。より詳しく、以下に説明する。
【００１２】
まず、図１に基づき、第１実施形態に係る電気治療器１の全体構成を説明する。図１は、第１実施形態に係る電気治療器１の全体構成を示す図である。この図１に示すように、電気治療器１は、電気信号を被検体に伝導する治療器である。すなわち、電気治療器１は、生成回路１００と、電極２００ａ、ｂと、ＯＮ／ＯＦＦ回路３００と、タイマー４００と、記憶回路５００と、入力回路６００と、制御回路７００とを、備えて構成されている。また、各回路１００、４００、５００、６００、７００はバス１ａを介して制御信号を入出力している。
【００１３】
生成回路１００は、周波数の異なる複数の信号により構成される電気信号を生成する回路であり、電源回路１０２と、発振回路１０４と、増幅変調回路１０６とを、備えて構成されている。電源回路１０２は、外部電源から入力された電力を発振回路１０４、タイマー４００、記憶回路５００、入力回路６００、及び制御回路７００、などに供給する回路である。電源回路１０２は、例えばＡＣ―ＤＣ変換器であり、商用の交流電力を直流電力に変換する。
【００１４】
発振回路１０４は、例えば正弦波の搬送波を発生させる回路である。この発振回路１０４は、増幅変調回路１０６に接続され、発生させた搬送波を増幅変調回路１０６に供給する。
【００１５】
増幅変調回路１０６は、制御回路７００から入力された強度値を示す信号に従い、発振回路１０４から入力された搬送波を変調し、周波数が異なる複数の信号を生成して、複数の信号を増幅するとともに、加算する回路である。本実施形態において、増幅変調回路１０６が生成する信号は、例えば、信号の値がプラスの範囲で周期的に変動する台形状のパルス波である。なお、増幅変調回路１０６が生成する信号は、台形状のパルス波に限定されず、信号の値がプラスの範囲で周期的に変動する信号であればよい。増幅変調回路１０６が生成する信号は、例えば、所定の周期で振幅が変動する三角波、鋸波、矩形波、円形波、サイン波などでもよい。この増幅変調回路１０６が生成した電気信号は、端子１ｂに供給される。
【００１６】
本実施形態で用いる強度値は、増幅変調回路１０６で生成される信号の振幅の二乗を意味し、電気信号を生成するためのパラメータとして用いられる。このパラメータの値は、上述のように、制御回路７００から増幅変調回路１０６に強度値を示す信号として入力される。例えば、周波数が２Ｈｚの信号に対するパラメータの値が１６であり、周波数が６Ｈｚの信号に対するパラメータの値が２５であり、他の周波数の信号に対するパラメータの値が０である場合、増幅変調回路１０６は、周波数が２Ｈｚであり振幅が４の信号と周波数が６Ｈｚであり振幅が５の信号とを生成し、生成したこれらの信号を加算する。
【００１７】
この様に、増幅変調回路１０６は、制御回路７００から入力されたパラメータの値に従い、電気信号を生成する。これから分かるように、制御回路７００は、増幅変調回路１０６に入力するパラメータの値を変更することで、増幅変調回路１０６が生成する電気信号の特性を変更する。
【００１８】
電極２００ａ、２００ｂは、先端部が突出した電極であり、コード２０２を介して端子１ｂに電気的に接続さている。電極２００ａ、２００ｂの内の電極２００ａは、端子１ｂの陽極に接続される電極２００であり、電極２００ｂは、端子１ｂの陰極に接続される電極２００である。また、例えば、電極２００の先端部の径は０．０８ｍｍである。この電極２００は、被検体の皮膚表面に配置され、被検体に電気信号を非侵襲に伝導する。このように、電極部の先端の径は０．０８ｍｍ程度であるため、例えば神経繊維に直接的に電気信号を伝導可能である。なお、電極２００の先端部の径は０．０８ｍｍでなくともよく、神経繊維に直接的に電気信号を伝導可能である径であればよい。例えば、０．０４ｍｍから０．１５ｍｍの範囲であれば、本実施形態の電極部として使用可能である。
【００１９】
ＯＮ／ＯＦＦ回路３００は、例えば押しボタン形式のＯＮ／ＯＦＦスイッチで構成され、ボタンが押し下げられると生成回路１００の電源回路１０２がＯＮになる。一方で、ボタンが押し下げられていない場合、生成回路１００の電源回路１０２はＯＦＦになる。
【００２０】
タイマー４００は、電気信号の通電時間を設定する。例えば、タイマー４００の通電時間の設定は、タイマー用ボタンで行われる。タイマー用ボタンで設定された時間に従い、制御回路７００により電気信号の通電時間が制御される。具体的には、タイマー用ボタンで5分が設定されている場合、制御回路７００は、通電時間が5分に達した時点で電気信号を遮断する。
【００２１】
記憶回路５００は、磁気的もしくは光学的記録媒体または半導体メモリなどの、読み取り可能な記録媒体を含んだ構成を有する。この記憶回路５００は、識別情報に対応させて電気信号を生成するためのパラメータを記憶している。ここでの識別情報は複数あり、対応するパラメータも複数ある。このパラメータは、上述のように電気信号を構成する周波数が異なる複数の信号のそれぞれの強度値である。また、記憶回路５００は、制御回路７００にて行われる各処理機能をコンピュータによって実行可能なプログラム形態で、記憶している。
【００２２】
入力回路６００は、電気治療器１を操作するための情報を入力する回路である。入力回路６００は、選択回路６０２と、調整回路６０４とを有している。
【００２３】
選択回路６０２は、予め用意されている複数種類の電気信号の設定の中から使用する電気信号の設定を選択する。ここでは、電気信号を識別する識別情報が、複数の症例それぞれに、関連付けられている。このため、選択回路６０２は、操作者の操作に従い、複数の症例の中から治療対象の症状を選択することで、複数種類の電気信号の中から使用する電気信号の設定を選択するように構成されている。このように、治療対象の症例を選択することで、複数種類の電気信号の中から治療に用いる電気信号の設定が選択されるので、操作者にとっては操作が簡便になる。
【００２４】
なお、本実施形態における症例は、例えば、慢性症、急性症、一般症である。ここで、慢性症は、例えば症状はあまりひどくないが、治りにくく経過が長びく痛みの状態を意味し、急性症は、例えば急激に発症した痛みの状態を意味し、一般症は、例えば慢性症又は急性症に分類されない痛みの状態を意味する。
【００２５】
調整回路６０４は、操作者の操作に従い、増幅変調回路１０６が生成する周波数が異なる複数の信号のそれぞれの振幅を調整する回路である。これにより、操作者は、調整回路６０４により、増幅変調回路１０６が生成する電気信号の特性を調整できる。
【００２６】
制御回路７００は、例えばＣＰＵであり、電気治療器１内の各回路を制御する。この制御回路７００は、プログラムを記憶回路５００から読み出し、実行することで各プログラムに対応する各処理機能を実現するプロセッサである。より具体的には、制御回路７００には、選択回路６０２で選択された症例に対応する識別情報が選択回路６０２から入力される。次に、制御回路７００は、この識別情報に対応して記憶されるパラメータを記憶回路５００から読み出して、このパラメータに基づく電気信号を増幅変調回路１０６に生成させる制御を行う。また、制御回路７００には、調整回路６０４から入力される信号に応じて、増幅変調回路１０６の制御を行う。
【００２７】
なお、ここでの被検体は、人であり、本実施形態では人を対象として説明するが、被検体は人に限定されない。例えば、被検体は、馬、牛、犬などのほ乳類でもよい。また、本実施形態では、離散的に周波数が異なる複数の信号により構成される電気信号を説明するが、連続的に周波数が異なる複数の信号により構成される電気信号を用いてもよい。
【００２８】
次に、図２に基づき、本実施形態における増幅変調回路１０６の構成例をより詳細に説明する。図２は、増幅変調回路１０６の構成の一例を示す図であり、この図２に示すように、増幅変調回路１０６は、第１〜第ｎ増幅変調回路１０６１〜１０６ｎと、加算回路１０８とを備えて構成されている。第１〜第ｎ増幅変調回路１０６１〜１０６ｎは、発振回路１０４にそれぞれが並列に接続されており、入力された搬送波をそれぞれ変調し、パルス波を生成する。ここでは、例えばｎ＝１３であり、第１〜第ｎ増幅変調回路１０６１〜１０６ｎのそれぞれは１、２、２．５、３、４、５、６、７、８、９、１０、１１、１２Ｈｚに対応している。これにより、例えば第１増幅変調回路１０６は、制御回路７００から入力された１Ｈｚに対応する強度値に応じて、１Ｈｚの信号を生成する。同様に、例えば第２増幅変調回路１０６は、制御回路７００から入力された２Ｈｚに対応する強度値に応じて、２Ｈｚの信号を生成する。同様に、例えば第３増幅変調回路１０６は、制御回路７００から入力された２．５Ｈｚに対応する強度値に応じて、２．５Ｈｚの信号を生成する。同様に、例えば第１３増幅変調回路１０６は、制御回路７００から入力された１２Ｈｚに対応する強度値に応じて、１２Ｈｚの信号を生成する。ここで、５Ｈｚは、神経に対する鎮静効果の高い周波数であり、その半分の周波数である２．５Ｈｚも症状改善に関与する周波数であると考えられている。また、第１〜第ｎ増幅変調回路１０６１〜１０６ｎは、生成する波形形状を変更可能で有り、直流の台形波、方形波、三角波、円形波などを生成可能である。さらにまた、第１〜第ｎ増幅変調回路１０６１〜１０６ｎは、位相の変更も可能である。
【００２９】
加算回路１０８は、第１〜第ｎ増幅変調回路１０６１〜１０６ｎが生成した信号を加算する。この加算回路１０８は、加算した信号を端子１ｂ（図１）に供給する。
【００３０】
図２を参照にしつつ図３に基づき、第１〜第ｎ増幅変調回路１０６１〜１０６ｎが生成する信号波形の一例を説明する。図３は、第１〜第ｎ増幅変調回路１０６１〜１０６ｎが生成する信号波形の一例を示す図である。この図３に示すように、第１〜第ｎ増幅変調回路１０６１〜１０６ｎが生成する信号の一例は、台形状のパルス波である。ここでのパルス波は、ＯＦＦ時間が例えば５〜７ｍｓと短く、ＯＦＦ時間がＯＮ時間に対し１／１０〜１／７程度となっている。振幅は、例えば０〜７０Ｖの範囲であり、制御回路７００から入力される強度値に応じて変更される。上述のように振幅の二乗が強度値である。なお、ＯＮ／ＯＦＦの比率は周波数によって変化するが、ＯＦＦ時間は極力短く概ね上記範囲に設定される。また、第１〜第ｎ増幅変調回路１０６１〜１０６ｎが生成する信号にオフセット電圧を加えてもよい。
【００３１】
次に、図４Ａ、及び図４Ｂに基づき、記憶回路５００に記憶される電気信号のパラメータの例を説明する。図４Ａは、慢性症、急性症、及び一般症に関連付けられたパラメータ例を示す図である。つまり、識別情報である識別Ｎ０．１が慢性症に対応し、識別Ｎ０．２が急性症に対応し、識別Ｎ０．３が一般症に対応している。
【００３２】
また、この図４Ａ、Ｂでは、強度値を０から１０の数値に正規化し、割り振り直してある。すなわち、例えば数値１０は、増幅変調回路１０６が生成しうる信号の最大の強度値を示している。同様に、例えば数値９は、最大の強度値の０．９倍を示し、例えば数値８は、最大の強度値の０．８倍を示し、例えば数値０は、最大の強度値の０．０倍を示している。つまり、数値０の場合には、信号が出力されない。
【００３３】
なお、本実施形態では、識別Ｎ０．１のパラメータに基づき生成される電気信号を第１電気信号と呼び、識別Ｎ０．２のパラメータに基づき生成される電気信号を第２電気信号と呼び、識別Ｎ０．３のパラメータに基づき生成される電気信号を第３電気信号と呼ぶこととする。
【００３４】
これらのパラメータから分かる様に、電気信号を構成する複数の信号の中で、１０Ｈｚ以下の信号の強度平均値は、１０Ｈｚ以上の信号の強度平均値よりも大きくなるように、設定されている。これは、出願人の臨床現場での治療経験に基づいており、痛みに対する症例には、主として１０Ｈｚ以下の信号が効果的であることによる。
【００３５】
また、第１電気信号を構成する５Ｈｚ以上１０Ｈｚ以下の信号の強度平均値は、５Ｈｚ未満の信号の強度平均値よりも大きくなるように設定されている。これも、出願人の臨床現場での治療経験に基づいており、慢性症には、主として５Ｈｚ以上１０Ｈｚ以下の信号が効果的であることによる。一方で、第２電気信号を構成する６Ｈｚ以下の信号の強度平均値は、６Ｈｚより大きく１０Ｈｚ以下の信号の強度平均値よりも小さくなるように設定されている。これは、出願人の臨床現場での治療経験に基づいており、急性症には、主として６Ｈｚ以下の信号が効果的であることによる。
【００３６】
また、第１電気信号と第２電気信号とを比較すると、第１電気信号を構成する５Ｈｚ以上１０Ｈｚ以下の信号の強度平均値は、第２電気信号を構成する５Ｈｚ以上１０Ｈｚ以下の信号の強度平均値よりも大きくなるように、設定されている。これは、慢性症の場合、急性症と比較すると、０〜１０Ｈｚの中でも、比較的高周波側の周波数の強度が大きくなる傾向にあることによる。
【００３７】
また、同様に第１電気信号と第２電気信号とを比較すると、第１電気信号を構成する５Ｈｚ以下の信号の強度平均値は、第２電気信号を構成する５Ｈｚ以下の信号の強度平均値よりも小さくなるように、設定されている。これは、急性症の場合、慢性症と比較すると、０〜１０Ｈｚの中でも、比較的低周波側の周波数の強度が大きくなる傾向にあることによる。
【００３８】
また、第３電気信号を構成する信号の周波数は、２．５Ｈｚ、５Ｈｚに設定されている。これは、出願人の臨床現場での治療経験に基づいており、上述のように２．５Ｈｚ、５Ｈｚ前後の周波数帯の信号の組み合わせが、一般症に対する沈静効果が高いことによる。
【００３９】
図４Ｂは、図４Ａとは異なるパラメータの例を示している図である。この図４Ｂに示すように、第１電気信号、第２電気信号、及び第３電気信号を生成する場合、必ずしも強度値０を設定する必要がないのである。
【００４０】
次に、図１、図４Ａ、及び図４Ｂを参照にしつつ、図５に基づき、選択回路６０２及び調整回路６０４のより詳細な構成例を説明する。図５は、電気治療器１の操作板上に構成される入力回路６００の一例を模式的に示す図である。この図５に示すように、ここでの選択回路６０２は、症状選択ボタン６０２ａ、６０２ｂ、６０２ｃで構成されている。本実施形態での症状選択ボタン６０２ａ、６０２ｂ、６０２ｃは、慢性症、急性症、及び一般症の中のいずれかを選択するボタンである。症状選択ボタン６０２ａ、６０２ｂ、６０２ｃは、例えば押しボタンであり、各症状選択ボタン６０２ａ、６０２ｂ、６０２ｃには、識別情報が関連付けられている。これにより、各症状選択ボタン６０２ａ、６０２ｂ、６０２ｃが押し下げられると、押し下げられたボタンに対応する識別情報が制御回路７００に出力される。
【００４１】
また、ここでの調整回路６０４は、強度変更用の複数のボタンで構成されている。強度変更用のボタンは、周波数毎に対応する信号の強度値を調整するために使用するボタンである。本実施形態では、１〜１２の数字のそれぞれが周波数を示している。これらのボタンは回転式であり、ボタンを回転することで強度値が変更される。例えば、１の数字で示すボタンが回転されると、ボタンの回転量に応じた強度を示す信号が制御回路７００に入力され、制御回路７００の制御に従い、第１増幅変調回路１０６が出力する１Ｈｚの信号の強度が変更される。このように、強度変更用のボタンの変更に応じた電気信号が増幅変調回路１０６により生成される。すなわち各信号の振幅を調整することが可能である。これにより、被検体の症状に応じて、電気信号の特性変更を行うことが可能である。
【００４２】
また、操作板上には、ＯＮ／ＯＦＦスイッチ３００ａが配置されている。なお、本実施形態では、ＯＮ／ＯＦＦスイッチ３００ａがＯＮ／ＯＦＦ回路３００に対応する。さらにまた、操作板上には、タイマー用ボタン４００ａが配置されている。タイマー用ボタン４００ａは、例えば回転式のボタンであり、ボタンを回転することで通電時間が設定される。
【００４３】
これらから分かる様に、症状選択ボタン６０２ａ、６０２ｂ、６０２ｃを用いることで、過去の治療知見に基づく電気信号を正確に生成することが可能である。また、これにより、操作性が向上すると共に、より正確に治療効果を得ることが可能である。また、強度変更用のボタン６０４を設けることで、症状に合わせて電気信号を変更すこともできる。
【００４４】
次に、図１を参照にしつつ図６に基づき、電極２００のより詳細な構成例を説明する。図６は、電極２００の構成を示す説明図である。この図６に示すように、電極２００は、絶縁基材２０４と、電極部２０６とを備えて構成されている。
【００４５】
絶縁基材２０４は、例えば底面の直径５ｍｍ、高さ２ｍｍのお椀形となっており、合成樹脂等の絶縁材にて形成さている。電極部２０６は、絶縁基材２０４から先端部が突出した電極である。この電極部２０６は、例えばステンレス製であり、絶縁基材２０４内に配置される。また、電極部２０６は、先端部２０６ａと、底面側の端部２０６ｂとを、備えて構成されている。先端部２０６ａの先端側の直径は、例えば直径が０．０８ｍｍであり、人の肌に非侵襲に接触させられる。電極部２０６の底面側の端部２０６ｂの直径は、例えば直径が１ｍｍであり、コード２０２の一端側が接続される。コード２０２の他端側は、端子１ｂに接続される。なお、先端部２０６ａの形状は、円、四角形、５角形などの多角形でもよく、その面積は、円換算で定義される。例えば、先端の径を０．０８ｍｍとして表記する場合の面積は、直径０．０８ｍｍの円の面積相当を意味する。ここでの電極部２０６は、電極２００に対して一つ設けられている。
【００４６】
ここで、図７に基づき、電極２００を電極パッド２０８として構成した例を説明する。図７は電極パッド２０８の構成を示す説明図であり、（ａ）は正面側、（ｂ）は側面側を示している。この図７に示すように、電極パッド２０８は、電極２００と、パッド部２１０と、グロメット部２１２とを、備えて構成されている。
【００４７】
パッド部２１０は、例えば緩衝材で構成されており、円形をしている。パッド部２１０の直径は例えば１４ｍｍであり、上面に電極２００を配置している。グロメット部２１２は、コード２０２が引き出される部分であり、前後左右に屈曲自在、また、ねじれ方向にも弾性変形可能となっている。
【００４８】
〈電極２００の配置について〉
図１及び図６を参照にしつつ図８に基づき、脊髄神経根から伸びている感覚神経が支配する領域と電極２００の配置例について説明する。図８は、デルマトームを示す図であり、図８（ａ）は、脊髄神経根から伸びる感覚神経を番号で示す図であり、図８（ｂ）は、脊髄神経根から伸びている感覚神経が支配する領域を番号で示す図である。この図８（ａ）に示すように、感覚神経は脊髄神経根から抹消に伸びている。また、図８（ｂ）に示すように、皮膚の表面はデルマトームと呼ばれる特定の領域に分けられている。デルマトームのそれぞれは、脊髄神経根に対応している。例えばＴ１〜Ｔ１２で示されるデルマトームは、脊髄神経根Ｔ１〜Ｔ１２に対応している。
【００４９】
また、神経根は左右が対になっており、一方が体の右側に対応し、他方が左側に対応する。このように、７個の頸椎には８対の神経根があり、１２個の胸椎、５個の腰椎、５個の仙椎のそれぞれに１対の脊髄神経根がある。
【００５０】
また、一つの脊髄神経につき二つの神経根がある。前側の神経根には、脊髄から筋肉へ信号を伝達して筋肉の運動を引き起こす神経繊維がある。一方で、後ろ側の神経根には、触覚、位置、痛み、温度などの感覚情報を体から脊髄へ伝達する神経繊維がある。
【００５１】
例えば、Ｌ５で示すデルマトームに痛みが生じている場合には、Ｌ５で示す腰椎の脊髄神経根に、痛みを示す神経の信号が伝わる。そして、このＬ５で示す脊髄神経根から脳内に神経を介して痛みの信号が伝わる。より具体的には、痛みを示す神経信号は、デルマトーム内の侵害受容器が痛み刺激を受けた後、このデルマトームに対応する脊髄神経根、視床を経て大脳皮質へ伝導される。これにより、人は痛みを感じるのである。
【００５２】
出願人は、臨床における治療経験から、痛みの生じているデルマトームに対応する神経根に陽極の電極２００ａを配置し、このデルマトーム内に陰極の電極２００ｂを配置し、電気信号を伝導すると症状を改善させることを見出した。例えば、図８（ｂ）に示すＬ５のデルマトームに痛みが生じている場合には、図８（ａ）に示すＬ５の脊髄神経根に陽極の電極２００ａを配置し、Ｌ５で示すデルマトーム内の痛みが生じている末梢側の箇所に陰極の電極２００ｂを配置する。
【００５３】
また、出願人は、このような治療においては、面状の電極を用いるよりも、点状電極を用いる方が、より治療効果が上がることも見いだしている。より治療効果を上げるためには、電極２００の先端部２０６ａの径が例えば０．１５ｍｍ以下であり、より望ましくは０．０８ｍｍ以下である。なお、このように、神経繊維を介して人為的に電気信号を大脳皮質へ伝導させる治療技術は、所謂、ブレイン、マシン、インタフェース（ＢｍＩ：Ｂｒａｉｎ−ｍａｃｈｉｎｅ  Ｉｎｔｅｒｆａｃｅ、脳介機装置）で、コンピュータを用いた治療技術は、ブレイン、コンピュータ、インタフェース（ＢＣＩ：Ｂｒａｉｎ−Cｏｍｐｕｔｅｒ  Ｉｎｔｅｒｆａｃｅ、脳介機装置）の一形態であると、考えられている。
【００５４】
〈電気信号の周波数について〉
出願人は、複数の周波数に基づく電気信号が治療により有効であることを見いだした。特に１０Ｈｚ以下の複数の周波数に基づく電気信号を治療に用いることが、治療効果を上げるために有効であることを見いだした。例えば、慢性症の痛みを訴える患者に、５Ｈｚ、７Ｈｚ、１０Ｈｚの信号に基づく電気信号を電極２００により通電し、治療したところ、「痛み」、「痛みを伴うしびれ感」などが消退、軽減し、治療効果が持続する知見が臨床的に得られている。
【００５５】
これらの症例では、例えば、先端部２０６ａの径が０．０８ｍｍ以下の３つの電極部２０６を用いて、それぞれに５Ｈｚ、７Ｈｚ、１０Ｈｚの電気信号を個別に印加した場合よりも、より大きな治療効果が得られることがわかっている。すなわち、周波数の異なる電気信号をそれぞれ、別の位置の電極部２０６から被検体に伝導させる場合よりも、周波数の異なる複数の信号により構成され電気信号を一つの電極部２０６から被検体に伝導させる場合の方が、より大きな治療効果が得られる症例が存在するのである。  
また、症状により、加える周波数の組み合わせを変更することが重要であることも、わかってきた。例えば、急性症の痛みを訴える患者に、２Ｈｚ、４Ｈｚ、６Ｈｚの信号に基づく電気信号を電極部２０６により通電し治療したところ、「痛み」、「痛みを伴うしびれ感」などが消退、軽減し、疾患部がより短期間に治癒に向かうことがわかってきた。これらの症例でも、例えば３つの電極部２０６を用いて、それぞれに２Ｈｚ、４Ｈｚ、６Ｈｚの電気信号を印加した場合よりも、２Ｈｚ、４Ｈｚ、６Ｈｚの信号により構成され電気信号を一つの電極部２０６から被検体に通電を行う場合の方が、より大きな治療効果が得られることがわかっている。これらの現象に関しては、研究機関での研究が開始されたところであるが、痛みを脳内に伝達している感覚神経に周波数の異なる複数の信号により構成され電気信号を与えることで、痛みを示す神経信号の脳への伝達が減少し、痛みを発生さていた神経回路が徐々に弱くなるためと考えられている。
【００５６】
このように、症例によっては、神経繊維に周波数の異なる複数の信号により構成され電気信号を伝導させることが治療にはより有効である。なお、痛みの生じている部位や症状によっては、単一の周波数の電気信号も有効であることがわかっている。  
〈多電極の配置例について〉
図９は、複数の電極２００を多電極パッド２１４として構成した例を示す図であり、ここでは、図９に基づき、多電極パッド２１４に関して説明する。この図９に示すように、多電極パッド２１４は、複数の電極２００と、電極ベルト２１６ａ、２１６ｂと、を備えて構成されている、
電極ベルト２１６ａ、２１６ｂは、柔軟部材にて形成された弾性ベルトである。また、電極ベルト２１６ａ、２１６ｂの上部には、複数個の電極２００が配置されている。電極２００は、例えば１４ｍｍピッチにて、長手方向に沿って１列に配置されている。なお、電極２００を上下に複数列配しても良く、その際、上下の列をずらして電極２００を交互（斜め）に配置しても良い。
【００５７】
図１０に基づき、広範囲の領域で痛みが生じている場合の電極配置例を説明する。図１０は、ふくらはぎに症状が出ている例の配置例を示す図である。この図１０に示すように、症例の出ている部位の上下に多電極ベルト２１６ａ、２１６ｂを装着する。例えば、膝関節下部後面に、多電極ベルト２１６ａ、２１６ｂの内の多電極ベルト２１６ａを横長に接着し、アキレス腱上に多電極ベルト２１６ｂを横長に接着する。この際、必ず＋極を上に、−極を下に取り付ける。すなわち、神経繊維の脊髄側に陽極の電極２００ａを非侵襲に配置し、陰極の電極２００ｂを神経繊維の末梢側に非侵襲に配置する。このように、脊髄神経根から離れた末梢部に陽極の電極２００ａを配置しても、神経を伝わる感覚が改善されることがわかっている。
【００５８】
以上が第１実施形態に係る構成の説明であるが、以下に制御回路７００の動作例について説明する。  
図１１は、制御回路７００の処理の一例であるフローチャートを示す図である。ここでは、図４Ａ及び図５を参照にしつつ、タイマー用のボタン４００ａで時間が設定された後に、慢性症に対応するボタン６０２ａが、操作者に選択される場合の処理について説明する。
【００５９】
まず、症状選択ボタン６０２ａ、６０２ｂ、６０２ｃの中から慢性症に対応するボタン６０２ａが押し下げられると、ボタン６０２ａに関連付けられ識別情報（識別Ｎｏ．１）が、ボタン６０２ａから制御回路７００に出力される（ステップＳ１０）。
【００６０】
次に、制御回路７００は、入力された識別情報（識別Ｎｏ．１）に対応するパラメータを記憶回路５００から読み込む（ステップＳ１２）。次に、制御回路７００は、読み込んだパラメータの値に基づき、周波数が異なる信号毎の強度値を増幅変調回路１０６に出力する（ステップＳ１４）。次に、増幅変調回路１０６は、入力された強度値に対応する振幅を有する信号を周波数毎に生成し、生成した周波数が異なるそれぞれの信号を加算して、電気信号の出力を開始する（ステップＳ１６）。
【００６１】
制御回路７００は、タイマー用のボタン４００ａで設定された時間が経過したか否かを判断し（ステップＳ１８）、経過していない場合（ステップＳ１８：Ｎｏ）、増幅変調回路１０６に電気信号の出力を継続させる。一方で、タイマー用ボタン４００ａで設定された時間が経過した場合（ステップＳ１８：Ｙｅｓ）、増幅変調回路１０６に電気信号の出力を遮断させ、全体の処理を終了する。このように、操作者が症例の選択を行うと、選択された症例に対応する電気信号が、被検体に伝導される。
【００６２】
以上のように、本実施形態によれば、周波数の異なる複数の信号から構成される電気信号を被検体に電極部２０６を介して非侵襲に伝導させることとした。これにより、単一の周波数の信号で構成される電気信号を伝導させる場合よりも、周波数の異なる複数の信号から構成される電気信号を伝導させる方が治療効果の高い症例、部位などに対応できるので、より多くの症例などに対応が可能になり、治療効果をより上げることができる。また、症例を選択回路６０２により、操作者に選択させることとした。これにより、症例に応じた電気信号の設定を選択可能になるので、過去の臨床知見に基づく電気信号を正確且つ簡便に生成できる。
【００６３】
（第１変形例）
上述した第１実施形態においては、電気治療器１は外部から電力の供給を受けることとしたが、本変形例においては、電源を電気治療器１内の電池１０２ａで構成するようにしている。以下、上述した第１実施形態と異なる部分を説明する。また、第１実施形態と同等の構成には同一の番号を付して説明を省略する。
【００６４】
図１２は、第１変形例に係る電気治療器１の構成例を示す図である。この図１２に示すように、電池１０２ａは、電気治療器１内の各回路に電力を供給する。この電池１０２ａは、例えば二次電池であり、充電が可能である。また、電池１０２ａは交換可能に構成されている。これにより、電気治療器１の携帯が可能になる。すなわち、第１変形例に係る電気治療器１は、可搬することが可能な可搬型の電気治療器である。
【００６５】
以上のように、本変形例によれば、電気治療器１内の電池１０２ａにより各回路に電力を供給させることとした。これにより、被検体に装着した状態での電気治療も可能となり、日常生活においても連続的な治療を行うことが可能になり、治療効果をより上げることができる。
【００６６】
（第２変形例）
上述した第１変形例においては、制御回路７００が、電気信号を生成するためのパラメータに基づき、電気信号を生成させることとしたが、本変形例においては、操作者が治療の度に電気信号を生成するためのパラメータを設定するようにしている。以下、上述した第１変形例と異なる部分を説明する。また、第１変形例と同等の構成には同一の番号を付して説明を省略する。
【００６７】
図１３は、第２変形例に係る電気治療器１の構成例を示す図である。この図１３に示すように、入力回路６００ａの出力値は、直接的に増幅変調回路１０６に出力される。このため、第２変形例に係る電気治療器１は、記憶回路５００、選択回路６０２、及び制御回路７００を備えずに構成している。これにより、電気治療器１をより小型化できる共に、電力消費もより抑えることが可能である。また、タイマー４００は、電池１０２ａに接続され電池１０２ａをＯＮ／ＯＦＦすることで、第１変形例と相違する。
【００６８】
図１４は、第２変形例に係る電気治療器１の操作板上に構成される入力回路６００ａの一例を模式的に示す図である。この図１４に示すように操作板上において、症例選択用のボタンを無くし、ＯＮ／ＯＦＦスイッチ３００ａと、タイマー４００用のボタンと、強度調整用のボタン６０４とを備えるように構成したものである。このように、電気治療器１の操作板も、簡易化可能である。
【００６９】
以上のように、本変形例によれば、入力回路６００ａの信号を増幅変調回路１０６に直接出力することとした。これにより、回路構成を簡便化できるので、電気治療器１をより小型化できる共に、電池１０２ａの電力消費をより抑えることが可能である。
【００７０】
（第２実施形態）
上述した第１実施形態においては、増幅変調回路１０６は、１つの端子１ｂから電気信号を出力するように構成することとしたが、第２実施形態においては、複数の端子１ｂのそれぞれから異なる電気信号を出力するように構成している。以下、上述した第１実施形態と異なる部分を説明する。
【００７１】
まず、図１５に基づき、第２実施形態に係る電気治療器１の全体構成を説明する。図１５は、第２実施形態に係る電気治療器１の全体構成を説明する図である。この図１５に示すように、第２実施形態に係る増幅変調回路１０６ａは、第１〜第ｍ端子用増幅変調回路１０６１〜１０６ｍを備えることで、第１実施形態に係る増幅変調回路１０６と相違する。また、第２実施形態に係る入力回路６００ｂは、第１〜第ｍ端子用増幅変調回路１０６１〜１０６ｍを操作するための第１〜第ｍ端子用入力回路６００１〜６００ｍを備えることで、第１実施形態に係る増幅変調回路１０６と相違する。ここでは、第１実施形態と同等の構成には同一の番号を付して重複した説明を省略する。なお、本実施形態では、端子１ｂを図１５で示す左端から順に第１〜第ｍ端子と呼ぶこととする。例えば、左端の端子１ｂが第１端子であり、左から２番目の端子１ｂが第２端子であり、右端の端子１ｂが第ｍ端子である。  
次に、図１６に基づき、第２実施形態に係る増幅変調回路１０６ａのより詳細な構成を説明する。図１６は、第２実施形態に係る増幅変調回路１０６ａの構成を示す図である。この図１６に示すように増幅変調回路１０６ａは、第１〜第ｍ端子用増幅変調回路１０６１〜１０６ｍを備えて構成されている。第１〜第ｍ端子用増幅変調回路１０６１〜１０６ｍのそれぞれは、図１で示した増幅変調回路１０６と同等の構成である。すなわち、第１〜第ｍ端子用増幅変調回路１０６１〜１０６ｍのそれぞれは、並列に発振回路１０４に接続されている。また、第１〜第ｍ端子用増幅変調回路１０６１〜１０６ｍのそれぞれは、制御回路７００の制御に従い電気信号を生成する。このように、増幅変調回路１０６ａは、それぞれの端子１ｂに、異なる電気信号を同時に出力可能である。ここでのｍは例えば１２である。
【００７２】
次に、図１７に基づき、第２実施形態に係る入力回路６００ｂのより詳細な構成を説明する。図１７は、第２実施形態に係る入力回路６００ｂの構成を示す図である。この図１７に示すように入力回路６００ｂは、第１〜第ｍ端子用入力回路６００１〜６００ｍを備えて構成されている。第１〜第ｍ端子用入力回路６００１〜６００ｍのそれぞれは、図１で示した入力回路６００と同等の構成である。すなわち、第１〜第ｍ端子用入力回路６００１〜６００ｍのそれぞれは、制御回路７００に接続されている。ここでのＯＮ／ＯＦＦスイッチ３００ａは、対応する増幅変調回路１０６１〜１０６ｍの出力をＯＮ／ＯＦＦするために用いられる。このように、第１〜第ｍ端子用入力回路６００１〜６００ｍを備えることで、被検体が複数人いる場合にも、個別に治療を行うことが可能である。また、被検体が一人の場合でも、異なる電気信号を同時に伝導させることが可能である。  
図１８は、第２実施形態に係る電気治療器１の操作板上に構成される入力回路６００ｃの一例を模式的に示す図である。この図１８に示すように、ここでの入力回路６００ｃは、端子切り換えボタン６０６を備えることで、図１７に示す入力回路６００ｂと異なる。
【００７３】
端子切り換えボタン６０６は、回転型のボタンであり、回転に応じて端子１ｂを切り換える。端子切り換えボタン６０６により、例えば、第１端子１ｂを選択して、第１端子１ｂから出力する電気信号を選択又は調整する。続いて、第２端子１ｂを選択して、第２端子１ｂから出力する電気信号を選択又は調整する。このように、端子切り換えボタン６０６を備えることで、入力回路６００ｂをより小型化可能である。
【００７４】
次に、図１９乃至２１に基づき、６端子を用いる円形多電極パッド２１８の構成例を説明する。図１９は円形多電極パッド２１８の全体構成を示す図であり、図２０は円形多電極パッド２１８の正面図であり、図２１はその側面図である。図１９に示すように、円形多電極パッド２１８は、複数個の電極２００と、円形パッド部２２０とを備えて構成されている。円形パッド部２２０は、例えば合成樹脂であり、ウレタン等の柔軟部材で形成されている。
【００７５】
図２０に示すように、プラグ２２２は、端子１ｂに挿入される金属のプラグである。上述のように、ケーブル２０２は一対の導線であり、導線の一端は電極２００に接続され、他端はプラグ２２２に接続されている。
【００７６】
ここでは、プラグ２２２の数は６であり、例えば第１端子１ｂから第６端子１ｂにそれぞれ挿入されている。図２１に示すように、円形パッド部は、外径３８ｍｍ、厚さ５ｍｍとなっており、円形パッド部には、電極２００が、直径３０ｍｍの円周上に等間隔で１２個取り付けられている。電極２００は適宜取り外して交換できるようになっている。これにより、端子毎に伝導させる電気信号を異ならせることも可能である。
【００７７】
図２２は、円形多電極パッド２１８の使用例を示す図である。ヘッドバンド２２４に６端子型の円形多電極パッド２１８が装着されている。このように、ヘッドバンド２２４を用いることで、頭部の神経に電気信号を伝導することも可能である。
【００７８】
以上のように、本実施形態によれば、生成回路１００が、複数端子１ｂ用の増幅変調回路１０６を備えることとした。これにより、複数の端子１ｂから異なる電気信号の出力が可能になり、治療効果をより上げることができる。
【００７９】
（第３実施形態）
上述した第２実施形態においては、複数周波数に基づく電気信号の初期パラメータを設定するように構成することとしたが、第３実施形態においては、単一周波数に基づく電気信号の初期パラメータも設定するように構成している。以下、上述した第２実施形態と異なる部分を説明する。
【００８０】
図２３は、第３実施形態に係る電気治療器１の操作板上に構成される入力回路６００ｄの一例を模式的に示す図である。である。この図２３に示すように、選択回路６０２は、部位別ボタン６０８をさらに備えて構成される。すなわち、ここでの選択回路６０２は、症状選択ボタン６０２ａ、６０２ｂ、６０２ｃと、部位別ボタン６０８とで構成される。
【００８１】
部位別ボタン６０８には、単一周波数に基づく電気信号を識別する識別番号が関連付けられている。
【００８２】
図２４は、部位別に使用する周波数と端子の数を示す表である。例えば、催眠に電気治療器１を用いる場合には、２対の電極２００が用いられ、それぞれの電極には、単一の周波数である５Ｈｚの電気信号と、単一の周波数である１０Ｈｚの電気信号と、が出力される。すなわち、１番目の電極２００には、５Ｈｚの電気信号が出力され、２番目の電極２００には、１０Ｈｚの電気信号が出力される。また、例えば、頸椎症に電気治療器１を用いる場合には、３対の電極２００が用いられ、それぞれの電極２００には、単一の周波数である２Ｈｚの電気信号と、単一の周波数である５Ｈｚの電気信号と、単一の周波数である８Ｈｚの電気信号と、が出力される。
【００８３】
図１５を参照にしつつ図２５に基づき、単一周波数に基づく電気信号の初期パラメータについて説明する。図２５は、記憶回路５００に記憶される初期パラメータの一例を示す図であり、（ａ）は催眠用の初期パラメータを示し、（ｂ）は頸椎症の初期パラメータを示し、（ｃ）は、レストレッグスの初期パラメータを示している。例えば、催眠の初期パラメータでは、第１端子１ｂに出力される電気信号は、５Ｈｚのみが強度９であり、他の周波数の強度は０であることを示している。これにより、第１端子１ｂに接続される電極２００ａ、ｂからは、５Ｈｚの電気信号が出力される。同様に、第２端子１ｂに出力される電気信号は、１０Ｈｚのみが強度４であり、他の周波数の強度は０である。これにより、第２端子１ｂに接続される電極２００ａ、ｂからは、１０Ｈｚの電気信号が出力される。このように、催眠の場合には、単一の周波数の電気信号が用いられる。  
また、例えば、頸椎症の初期パラメータでは、第１端子１ｂに出力される電気信号は、２Ｈｚの強度が８であり、他の周波数の強度は０である。これにより、第１端子に接続される電極２００ａ、ｂからは、２Ｈｚの電気信号が出力される。同様に、第２端子１ｂに出力される電気信号は、５Ｈｚのみが強度８であり、他の周波数の強度は０である。これにより、第２端子１ｂに接続される電極２００ａ、ｂからは、５Ｈｚの電気信号が出力される。同様に、第３端子１ｂに出力される電気信号は、８Ｈｚのみが強度８であり、他の周波数の強度は０である。これにより、第３端子１ｂに接続される電極２００ａ、ｂからは、８Ｈｚの電気信号が出力される。このように、頸椎症の場合には、単一の周波数の電気信号が用いられる。
【００８４】
また、例えば、レストレッグスの初期パラメータでは、第１端子１ｂ１に出力される電気信号は、５Ｈｚの強度が９であり、他の周波数の強度は０である。これにより、第１端子１ｂ１に接続される電極２００ａ、ｂからは、５Ｈｚに基づく電気信号が出力される。
【００８５】
以上のように、本実施形態によれば、選択回路６０２により、単一周波数に基づく電気信号を用いる症例も、操作者に選択させることとした。これにより、より多くの症状に応じた電気信号を選択可能になるので、臨床知見に基づく電気信号を正確且つ簡便に設定できる。
【００８６】
なお、第１実施形態における生成回路１００は、特許請求の範囲における生成部の一例である。もしくは第１変形例、第２変形例、又は第２実施形態における生成回路１００は、他の例である。第１実施形態における選択回路６０２は、特許請求の範囲における選択部の一例である。もしくは第１変形例、第２変形例、又は第２実施形態における選択回路６０２は、他の例である。１実施形態における制御回路７００は、特許請求の範囲における制御部の一例である。もしくは第１変形例、又は第２実施形態における制御回路７００は、他の例である。第１実施形態における記憶回路５００は、特許請求の範囲における記憶部の一例である。もしくは第１変形例、又は第２実施形態における記憶回路５００は、他の例である。第１実施形態における調整回路６０４は、特許請求の範囲における調整部の一例である。もしくは第１変形例、第２変形例、又は第２実施形態における調整回路６０４は、他の例である。
【００８７】
上記の説明において用いた「プロセッサ」という文言は、例えばＣＰＵ（ｃｅｎｔｒａｌ  ｐｒｏｃｅｓｓｉｎｇ  ｕｎｉｔ）、ＧＰＵ（Ｇｒａｐｈｉｃｓ  Ｐｒｏｃｅｓｓｉｎｇ  Ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ））、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）などの回路を意味する。プロセッサは記憶回路５００に保存されたプログラムを読み出し実行することで機能を実現する。なお、記憶回路５００にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１、１２、１３、１５における複数の構成要素を１つのプロセッサへ統合してその機能を実現するようにしてもよい。
【００８８】
以上、いくつかの実施形態を説明したが、これらの実施形態は、例としてのみ提示したものであり、発明の範囲を限定することを意図したものではない。本明細書で説明した新規な装置、方法およびプログラムは、その他の様々な形態で実施することができる。また、本明細書で説明した装置、方法およびプログラムの形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００８９】
１：電気治療器、１００：生成回路、１０２ａ：電池、２００：電極、２００a：電極、２００b：電極、２０６：電極部、５００：記憶回路、６０２：選択回路、６０４：調整回路、７００：制御回路
【図１】
2018121933.tif 000003
【図２】
2018121933.tif 000004
【図３】
2018121933.tif 000005
【図４Ａ】
2018121933.tif 000006
【図４Ｂ】
2018121933.tif 000007
【図５】
2018121933.tif 000008
【図６】
2018121933.tif 000009
【図７】
2018121933.tif 000010
【図８】
2018121933.tif 000011
【図９】
2018121933.tif 000012
【図１０】
2018121933.tif 000013
【図１１】
2018121933.tif 000014
【図１２】
2018121933.tif 000015
【図１３】
2018121933.tif 000016
【図１４】
2018121933.tif 000017
【図１５】
2018121933.tif 000018
【図１６】
2018121933.tif 000019
【図１７】
2018121933.tif 000020
【図１８】
2018121933.tif 000021
【図１９】
2018121933.tif 000022
【図２０】
2018121933.tif 000023
【図２１】
2018121933.tif 000024
【図２２】
2018121933.tif 000025
【図２３】
2018121933.tif 000026
【図２４】
2018121933.tif 000027
【図２５】
2018121933.tif 000028